(57)【要約】【課題】竪樋を壁面に沿って固定する竪樋控え具において、竪樋を壁面に取り付けたときの壁面外観の見栄えを向上させ、壁面への取り付け作業も容易に行えるようにする。【解決手段】基部（２）の一端に竪樋（５）の外周面に沿って屈曲又は湾曲した形状の腕部（３）を回転自在に連結してなる竪樋控え具（１）において、腕部（３）を、方形断面を呈する竪樋（５）の前面部、左右側面部及び背面部の両縁に接合して竪樋（５）の四隅外面を包囲する屈曲形状をなし、且つ両端部間の開口幅を拡幅し得るように弾性を付与して形成する。【選択図】図１
2006348511.tif 000002
【特許請求の範囲】
【請求項１】
建物の壁面に固定される基部の一端に竪樋の外周面に沿って屈曲又は湾曲した形状の腕部を回転自在に連結し、竪樋の外周面に装着した腕部を基部の他端に掛止して竪樋を固定する竪樋控え具において、
前記腕部が方形断面を呈する竪樋の前面部、左右側面部及び背面部の両縁に接合して竪樋の四隅外面を包囲する屈曲形状をなし、且つ両端部間の開口幅を拡幅し得るように形成されていることを特徴とする竪樋控え具。
【請求項２】
円筒形その他湾曲した断面形状を呈する竪樋に対応させて、腕部を湾曲形状に形成してなる請求項１に記載の竪樋控え具。
【発明の詳細な説明】
【技術分野】
【０００１】
本発明は、竪樋を建物の壁面に固定する合成樹脂製の竪樋控え具の構造に関する。
【背景技術】
【０００２】
従来の竪樋控え具として、図６に示されるように、建物の壁面に釘６３で固定される基部６１と、断面正方形をなす竪樋６４の外周面に沿ってコ字状に屈曲した腕部６２からなり、基部６１の一端部６１ａに腕部６２の一端部６２ａを回転自在に連結し、竪樋６４の外周面に腕部６２を装着させた状態で、腕部６２の他端部６２ｂを基部６１の他端部６１ｂに掛止することにより、竪樋６４を壁面に沿って固定する形態のものが知られている（例えば特許文献１参照）。
【０００３】
【特許文献１】実開平７−２６４５８号公報
【発明の開示】
【発明が解決しようとする課題】
【０００４】
前記図示した従来の竪樋控え具６０は、基部６１がその両側を垂直に立ち上げて側面視コ字状に屈曲して形成されており、前記立ち上がった両端に、同じくコ字状に屈曲した腕部６２が取り付けられるようになっていた。そのため、基部６１と腕部６２の両端部の連結部分が竪樋６４の側面に露出して建物の外側から目に付き、竪樋６４に沿った壁面外観の意匠性を低下させるという問題があった。
また、釘６３を打ち付けて基部６１を壁面に固定する際に、手前側に立ち上がった基部６１の両端がハンマーによる打ち付け操作の邪魔となり、誤って当該立ち上がった両端部分をハンマーで叩いて破損させやすく、そのため取り付け作業は慎重に行う必要があった。
【０００５】
本発明は従来技術の有するこのような問題点に鑑み、竪樋を壁面に沿って固定する竪樋控え具において、竪樋を壁面に取り付けたときの壁面外観の見栄えを向上させ、壁面への取り付け作業も容易に行えるようにすることを課題とする。
【課題を解決するための手段】
【０００６】
竪樋控え具で竪樋を支持した状態で、基部と腕部の連結部分が竪樋の背面部側（壁面側）に位置していれば、両部材の連結部分が竪樋で隠れて外側から目に付かず、壁面外観の見栄えを悪化させることはない。しかし、その場合、腕部の両端部間の幅が狭くなり、当該両端部間よりも大径の竪樋を装着するのに支障が生じる。そこで、本発明では、腕部を適度な弾性を付与して成形し、両端部間の幅を広げて竪樋に装着することができるように構成した。
【０００７】
すなわち、本発明は、建物の壁面に固定される基部の一端に竪樋の外周面に沿って屈曲又は湾曲した形状の腕部を回転自在に連結し、竪樋の外周面に装着した腕部を基部の他端に掛止して竪樋を固定する竪樋控え具において、前記腕部が方形断面を呈する竪樋の前面部、左右側面部及び背面部の両縁に接合して竪樋の四隅外面を包囲する屈曲形状をなし、且つ両端部間の開口幅を拡幅し得るように形成されていることを特徴とする。
【０００８】
前記構成において、基部と腕部は塩化ビニル樹脂やポリプロピレン、ポリカーボネートなどを用いて成形することができる。ゴム成分を含む樹脂を用いてもよい。また、腕部に弾性を付与するには、腕部を幅８〜１２ｍｍ程度、肉厚１．５〜２．５ｍｍ程度の寸法に成形するのが好ましく、かかる範囲の成形寸法であれば、竪樋の外周にしっかりと装着して保持可能な剛性が確保されつつ、両端部間を押し広げて内側に竪樋を圧入し且つ圧入後は元の形状に復元するに十分な弾性を腕部に与えることができる。
【０００９】
また、竪樋控え具に装着する竪樋が円筒形その他湾曲した断面形状を呈するものである場合、腕部は、竪樋の周面形状に対応させて適宜に湾曲させて形成することができる。
さらに、基部と腕部の一端部同士は互いに回転自在に接続する適宜なヒンジ構造で連結することができ、両部の他端部同士も互いに係合して接続する適宜な係合構造に設けることができる。
【００１０】
本発明の竪樋控え具によれば、基部と腕部の連結部分が竪樋の背面部側に位置するので、連結部分が竪樋で隠れて外側から目に付かず、また、基部を平坦な板状に形成することができるので、釘の打ち込みを容易且つ迅速に行って壁面に取り付けることができる。
【発明を実施するための最良の形態】
【００１１】
本発明の好適な実施形態を図面を参照して説明する。
図１は本発明の一実施形態の竪樋控え具の外観図と竪樋を支持した状態の断面図、図２は基部と腕部の分解斜視図、図３は竪樋に腕部を装着して基部に固定するときの手順を示した図、図４は本発明の他の実施形態の平面図、図５は同じく他の実施形態の基部と腕部の係合部位の拡大図であり、各図において、符号１は竪樋控え具、２は基部、３は腕部、４は釘、５は竪樋をそれぞれ示している。
【００１２】
図１〜図３に示した竪樋控え具１は、断面正方形を呈する竪樋５の固定に用いる形態のものであり、平板状に形成された基部２の一端部２１に、竪樋５の外周四側面に接合する屈曲形状に形成された腕部３を回転自在に連結して構成してある。
【００１３】
より詳しくは、基部２は、その中央部が厚肉、両端がそれよりも薄肉な板状に形成されており、前記厚肉の中央部に釘４が挿通して頭部が係合する通孔２ａを形成するとともに、一端部２１に腕部３の一端部３１が回転自在に連結するヒンジ部、他端部２２に腕部３の他端部３２が掛止する係合部を一体に設けて形成してある。
【００１４】
腕部３は、竪樋５の外周に沿った帯状リングの一辺を基部２の長さ分だけ切除した如き形状に設けてあり、図１に示されるように、竪樋５の外周面に装着した状態で、腕部３の内面が、竪樋５の前面部５１と左右側面部５２、５３と背面部５４の両縁とに接合し、竪樋５の周囲四隅コーナ部の外面を包囲する屈曲形状に形成してある。
また、図２に示されるように、腕部３の両端部３１、３２は、基部２の長さ分だけ離間して向き合い、その端部３１には前記端部２１のヒンジ部に接続する軸部、端部３２には前記端部２２の係合部に掛止する爪部を一体に設け、前記軸部をヒンジ部に接続して基部２の一端に腕部３を回転自在に連結するとともに前記爪部を係合部に掛止することにより、基部２と腕部３とを竪樋５の外周に沿った正方形のリング形に一体に保形するように設けてある。
また、腕部３は、基部２よりも細く且つ薄肉に成形されて可撓性が付与されており、外部から力を加えて両端部３１、３２間の開口幅を押し広げることができ、外部からの力が無くなると自身の弾性によって元の形状に復元するようになっている。
【００１５】
竪樋控え具１は、基部２の端部２１に腕部３の端部３１を回転自在に連結して構成され、その状態で、基部２の通孔２ａに釘４を通し、釘４の頭部をハンマーで打ち付けて建物の壁面に固定することができる。この際、基部２が平坦に形成してあるので、ハンマーの打ち付け操作を容易に行うことができ、誤ってハンマーで基部２の両端部分を破損させる虞れがない。基部２を壁面に固定してから腕部３を連結してもよい。
また、基部２を固定した後、竪樋５を腕部３に装着するが、このときの操作は、図３に示されるように、腕部３を把持し、回転させながら端部３２側を手前側に押し広げて両端部３１、３２間の開口を拡幅し（同図（Ｂ））、拡幅した両端部の内側に竪樋５を圧入すればよい。そして、竪樋５を圧入したならば、腕部３の端部３２を基部２の端部２２に掛止すれば、基部２と腕部３とが竪樋５の外周面に嵌着して竪樋５を支持し、竪樋５が壁面に沿って固定される。
【００１６】
なお、腕部３は、図４に示されるように、竪樋５の断面形状が矩形の場合にはその外周面に沿った横長矩形状、楕円形の場合にはその外周面に沿った楕円形状というように、壁面に取り付ける竪樋５の外周面に対応した屈曲形状や湾曲形状に形成することができる。また、基部２の端部２２に係合する腕部３の爪部の形状も、図５に示される如く、鋭角状や湾曲状など適宜な形状に設けることができる。
【００１７】
本発明によれば、基部２と腕部３の連結部分が竪樋５の背面部側に位置するように設けてあるので、連結部分が竪樋５で隠れて外側から目に付かず、従来の竪樋控え具を使用したときよりも、壁面外観の見栄えを良くすることができる。また、基部２を平坦な板状に形成することができるので、釘４の打ち込みを容易にでき、簡易な作業で壁面に取り付けることが可能である。
【００１８】
なお、図示した竪樋控え具、基部、及び腕部の形態は一例であり、本発明は図示した形態に限定されず、他の適宜な形態に構成可能である。
【図面の簡単な説明】
【００１９】
【図１】本発明の一実施形態の竪樋控え具を壁面に取り付けた状態の外観図（Ａ）と竪樋を支持した状態の断面図（Ｂ）である。
【図２】図１の竪樋控え具の基部と腕部の分解斜視図である。
【図３】（Ａ）〜（Ｃ）は竪樋に腕部を装着して基部に固定するときの手順を説明するための図である。
【図４】（Ａ）、（Ｂ）は本発明の他の実施形態の平面図である。
【図５】（Ａ）、（Ｂ）は本発明の他の実施形態の基部と腕部の係合部位の拡大図である。
【図６】従来の竪樋控え具を壁面に取り付けた状態の外観図（Ａ）と竪樋を支持した状態の断面図（Ｂ）である。
【符号の説明】
【００２０】
１  竪樋控え具、２  基部、３  腕部、４  釘、５  竪樋
【図１】
2006348511.tif 000003
【図２】
2006348511.tif 000004
【図３】
2006348511.tif 000005
【図４】
2006348511.tif 000006
【図５】
2006348511.tif 000007
【図６】
2006348511.tif 000008